(57)【特許請求の範囲】
【請求項１】
前後壁と側部壁からなる立設壁を有し前記側部壁の延端部を前後壁に重複させた箱型台板と、該箱型台板の立設壁に当接させて対向配置した一対の底部緩衝部材とにより構成し、該底部緩衝部材上に被包装体を載置してなる包装用台板を備えた包装部材であって、
前記前後壁の面上に延出面を設け、該延出面を折り曲げて前記重複部を挟み込んだ折曲部により第１の突設部を形成すると共に、該第１の突設部をさらに折曲げて前記前後壁の内側方向に突出する第２の突設部を設け、また、前記底部緩衝部材の両端部に前記第１、第２の突設部と嵌合する第１、第２の切欠部を設けたことを特徴とする包装部材。
【請求項２】
第１、第２の突設部を、前後壁のそれぞれの両側近傍に設けたことを特徴とする請求項１記載の包装部材。
【請求項３】
第１、第２の突設部を、前後壁のそれぞれのほぼ全域に渡って設けたことを特徴とする請求項１記載の包装部材。
【請求項４】
第２の突設部を、断面ほぼ横Ｔ字状に形成したことを特徴とする請求項１乃至３のいずれかに記載の包装部材。
【請求項５】
第２の突設部を、断面ほぼ横Ｖ字状に形成したことを特徴とする請求項１乃至３のいずれかに記載の記載の包装部材。
【発明の詳細な説明】
【０００１】
【発明の属する技術分野】
本発明は、重量の大きい電気品等の包装部材に係り、より詳しくは、底部緩衝部材を接着剤を用いずに台板に固定して解体時におけるリサイクル性を改善させた包装部材に関するものである。
【０００２】
【従来の技術】
図１０は従来の冷蔵庫の包装部材における分解状態の一例を示す斜視図、図１１は図１０の要部の斜視図、図１２は図１０の要部の断面図である。図に示すように、冷蔵庫１を載置させる包装用台板８は、ダンボールから製造された箱型台板９と、この台板９にホットメルトによる接着剤３６によって固定された発泡ポリスチレン製の一対の底部緩衝部材１０，１１とによって構成され、底部緩衝部材１０，１１に設けた脚用凹部１２，１３に冷蔵庫１の脚部を装着し、台板用凹部１６，１７には冷蔵庫１の台板を装着する。なお、３は外装ケース、４，５，６は上部緩衝部材、７はこれら上部緩衝部材４〜６を覆う天面カバーである（従来技術１）。
【０００３】
また、図１３は、例えば、実公昭６１ー１９４６６３号公報に開示された従来の包装用台板の一例を示す分解斜視図である。図に示すように、ダンボールからなる箱型台板９は、側部立設壁２５，２６の延端部２５ａ，２６ａを折り曲げて、上部から見てほぼＶ字状となる突設部２９を４箇所に形成し、この突設部２９に底部緩衝部材１０（１１）の前後端部の切欠部１８（１９）をはめ込んで固定する（従来技術２）。
【０００４】
【発明が解決しようとする課題】
上記のように構成した従来技術１及び２の冷蔵庫１等の包装用台板８によれば、箱型台板９に底部緩衝部材１０，１１が載置されているだけであったり、上下方向からはめ込まれているだけであったりして、上下方向に対し十分に固定されていないため、冷蔵庫１のように重量が大きい家庭用の電気製品の包装用台板８としては、物流時、輸送時、荷扱い運搬中等に生ずる各種衝撃に対して強度的に脆弱で壊れ易く、底部緩衝部材１０，１１が外れ易く、冷蔵庫１自体の損傷も多く発生しやすかった。このため、箱型台板９と底部緩衝部材１０，１１をホットメルト等の接着剤３６で強固に固定せざるを得ず、したがって、包装部材の解体分離時には分離性が悪くなり、解体作業に多くの時間を要すると共に、ホットメルト等の接着剤３６そのものの分離処理に多くの時間を要するという問題があった。
【０００５】
本発明は上記のような課題を解決するためになされたもので、運搬中等に生ずる各種衝撃に対して、包装用台板が強固で壊れることもなく、底部緩衝部材が外れにくく、被包装体が損傷することがなく、しかも、包装部材の解体作業時には解体分離性が良好で、廃棄処理における作業時間が短縮され、さらに接着剤を使用せずに環境汚染を防止することができる冷蔵庫等の包装部材を得ることを目的とする。
【０００６】
【課題を解決するための手段】
本発明に係る包装部材は、前後壁と側部壁からなる立設壁を有し側部壁の延端部を前後壁に重複させた箱型台板と、箱型台板の立設壁に当接させて対向配置した一対の底部緩衝部材とにより構成し、底部緩衝部材上に被包装体を載置してなる包装用台板を備えた包装部材であって、前後壁の面上に延出面を設け、延出面を折り曲げて重複部を挟み込んだ折曲部により第１の突設部を形成すると共に、第１の突設部をさらに折曲げて前後壁の内側方向に突出する第２の突設部を設け、また、底部緩衝部材の両端部に第１、第２の突設部と嵌合する第１、第２の切欠部を設けたものである。
【０００７】
また、第１、第２の突設部を、前後壁のそれぞれの両側近傍に設けた。
さらに、第１、第２の突設部を、前後壁のそれぞれのほぼ全域に渡って設けた。
また、第２の突設部を、断面ほぼ横Ｔ字状に形成した。
さらに、第２の突設部を、断面ほぼ横Ｖ字状に形成した。
【０００８】
【発明の実施の形態】
［実施の形態１］
図１は本発明の実施の形態１の斜視図、図２は図１の分解状態を示す斜視図、図３は図１の要部の斜視図、図４は図３のイ部の詳細を示す斜視図、図５は図４のＡーＡ断面図、図６は図４の分解状態を示す斜視図である。図において、１は被包装体である冷蔵庫で、１ａは冷蔵庫１の前面に位置する扉部、１ｂは天面部、１ｃは底面部、１ｄ，１ｅは側面部、１ｆは背面部である。２は冷蔵庫１の天面部１ｂ方向から挿入して冷蔵庫１に被せるポリエチレン製の保護袋で、冷蔵庫１の汚れを防止したり輸送中の振動による傷付きを防止する。３は冷蔵庫１の天面部１ｂ方向から挿入するダンボール製の外装ケースで、冷蔵庫１の扉部１ａ、側面部１ｄ，１ｅ、背面部１ｆを保護する。
【０００９】
４，５は冷蔵庫１の天面部１ｂの両肩にはめ込む例えば発泡ポリスチレン製の上部緩衝部材であり、６は冷蔵庫１の天面部１ｂのほぼ中央にはめ込む例えば発泡ポリステレン製の上部緩衝部材である。
７はこれらの上部緩衝部材４，５，６の上部を覆う断面ほぼコ字状に折曲げた段ボール製の天面カバーで、天面カバー７の折曲部７ａを、外装ケース３の上部内側面と上部緩衝部材４，５の背面との間に差し込んで取り付ける。
８は冷蔵庫１の下部に配設されて冷蔵庫１を載置する包装用台板、９はダンボール製で箱型に形成した箱型台板、１０，１１は箱型台板９内に対向配設した例えば発泡ポリスチレン製の一対の底部緩衝部材で、これら箱型台板９と底部緩衝部材１０，１１とによって包装用台板８を構成している。
【００１０】
底部緩衝部材１０，１１の対向側には、冷蔵庫１の扉部１ａ側に位置する脚部を装着するための脚用凹部１２，１３、落下衝撃を逃がすための衝撃凹部１４，１５、冷蔵庫１の背面部１ｆ側に位置する台板を装着するための台板用凹部１６，１７が設けられている。
また、底部緩衝部材１０，１１の長手方向の両端部で底部緩衝部材１０，１１同志が対向する側のかど部には、例えば図６に詳細に示すように、Ｌ字型に切欠いて第１、第２の面１８ａ，１８ｂによって構成される第１の切欠部１８（他方の底部緩衝部材１１では第１の切欠部１９）が形成され、さらに、切欠部１８（１９）の第２の面１８ｂの高さ方向のほぼ中央部には長手方向の内側寄りにコ字状で底面とほぼ平行に切欠かれた第２の切欠部２０（他方の底部緩衝部材１１では第２の切欠部２１）が形成されている。
【００１１】
箱型台板９は、ダンボールの四辺を底板２２に対してほぼ直角に同方向に折曲げて、前立設壁２３、後立設壁２４、側部立設壁２５，２６を形成し、上部を開口して箱型状に形成したものである。このとき、側部立設壁２５，２６のそれぞれの両端部をやや延設して延端部２５ａ，２６ａを形成し、この延端部２５ａ，２６ａを側部立設壁２５，２６に対してほぼ直角に内側方向に折曲げて、この折曲げた延端部２５ａ，２６ａが前後の立設壁２３，２４の内側に来るように配設して肉厚の重複部２７を形成する。
なお、２８は側部立設壁２５，２６の延端部２５ａ，２６ａと前後の立設壁２３，２４とからなる重複部２７の２箇所を斜めに打ち止めて箱型台板９を箱型に形成するための金属性のステープルである。
【００１２】
２９は前後の立設壁２３，２４の計４箇所に設けた突設部で、前後の立設壁２３，２４のそれぞれの両側の重複部２７近傍に位置し、前後の立設壁２３，２４の上方向に延出したほぼ長方形状の延出面３０を箱型台板９の内側下方に折曲げて形成したもので、第１の突設部３１と第２の突設部３２とによって構成されている。
第１の突設部３１は、長方形状の延出面３０を、前後の立設壁２３，２４の内側方向にほぼ直角に折曲げて第１の折曲面３１ａを形成し、さらに重複部２７を内側に挟み込むようにして同方向すなわち底面２２の方向にほぼ直角に折曲げて第２の折曲面３１ｂを形成して、これらの折曲げ面３１ａ，３１ｂによって凸状に形成したものである。
【００１３】
また、第２の突設部３２は、第２の折曲面３１ｂをほぼ直角に折り曲げ、さらに逆方向にほぼ１８０度折り返し、さらに逆方向にほぼ直角に折曲げ、この際、最後の折曲げ面が当初の折曲面と同一平面上にあるようにして、第２の折曲面３１ｂ上に箱型台板９の底面２２とほぼ平行で断面ほぼ横Ｔ字状の凸状部を形成したものである。
こうして形成した箱型台板９の第１、第２の突設部３１，３２を、底部緩衝部材１０，１１の第１、第２の切欠部１８（１９），２０（２１）に面一に嵌合させ、底部緩衝部材１０，１１の背面を側部立設壁２５，２６の内面に当接させて、包装用台板８を形成する。
なお、３３は冷蔵庫１の周囲に組み込んだ各包装部材を外周から緊締するポリプロピレン製の締結用バンドである。
【００１４】
上記のように構成した実施の形態１の作用を説明する。まず、包装部材の組立て手順について説明する。側部立設壁２５，２６の延端部２５ａ，２５ｂを側部立設壁２５，２６に対してほぼ直角に曲げた後、側部立設壁２５，２６をほぼ直角に折曲げ、ついで前後立設壁２３，２４を側部立設壁２５，２６と同方向にほぼ直角に折曲げて、箱型台板９を形成する。
次に、長方形状の延出面３０を、その根元部において、前後の立設壁２３，２４の内側方向にほぼ直角に折曲げて第１の折曲面３１ａを形成し、さらに重複部２７を内側に挟み込むようにして底面２２の方向にほぼ直角に折曲げて第２の折曲面３１ｂを形成し、第１の突設部３１を形成する。
【００１５】
次に、延出面３０の第２の折曲面３１ｂをその中央部付近でほぼ直角に折り曲げ、その折曲げ方向と逆方向にほぼ１８０度さらに折り返し、その折曲げ方向と逆方向にさらにほぼ直角に折曲げて、この折曲げ面が当初の折曲面と同一平面上にあるようにして、第２の折曲面３１ｂ上に箱型台板９の底面２２とほぼ平行でその内側方向に向かう断面ほぼ横Ｔ字状の第２の突設部３２を形成する。
次に、金属製のステープル２８を、前後の立設壁２３，２４から重複部２７に打ち込む。
【００１６】
こうして形成した箱型台板９の第１の突設部３１と第２の突設部３２に、底部緩衝部材１０，１１の第１の切欠部１８（１９）及び第２の切欠部２０（２１）を差し込んで嵌合させて、箱型台板９に底部緩衝材１０，１１を結合し、包装用台板８を構成する。このとき、箱型台板９と底部緩衝材１０，１１には、ホットメルト等の接着剤を介在させて固定させることはしない。
次ぎに、上記のようにして組立てた包装用台板８上に、冷蔵庫１を載置させる。この際、冷蔵庫１の脚部は底部緩衝材１０，１１の脚用凹部１２，１３に、冷蔵庫１の台板は底部緩衝材１０，１１の台板用凹部１６，１７に嵌合する。
次に、保護袋２を冷蔵庫１の天面部１ｂの上方から冷蔵庫１に被せ、その上から天面部１ｂ上に上部緩衝部材４，５，６を被せ、外装ケース３を通して、天面カバー７を装着し、包装部材を形成して、この包装部材の外周に締結用バンド３３を緊締する。
【００１７】
上記のようにして組立てた包装部材を解体する場合は、まず、締結用バンド３３をハサミ等で切断し、その後、天面カバー７、上部緩衝部材４，５，６，外装ケース３、そして保護袋２という順序ではずしていき、冷蔵庫１を包装用台板８から取り外す。その後、箱型台板９の前後の立設壁２３，２４を前後に開きながら底部緩衝材１０，１１を取りだし、包装部材を解体分離する。この際、底部緩衝材１０，１１と箱型台板９とは、接着剤等で接着固定されていないため、解体分離が容易である。
【００１８】
実施の形態１によれば、簡易な部材によって箱型台板９と底部緩衝部材１０，１１とを確実に係止でき、底部緩衝部材１０，１１の上下左右方向への固定を確実に行うことができる。すなわち、突設部２９の第２の突設部３２と、底部緩衝部材１０，１１の第２の切欠部２０（２１）とは、それぞれが箱型台板９の底面２２にほぼ平行に形成されているので、これらが面一に嵌合したときは、底部緩衝部材１０，１１は箱型台板９に対して上下方向に移動することはない。また、側部立設壁２５，２６側に位置する第１の突設部３１の側面は、底部緩衝部材１０，１１の第１の切欠部１８（１９）の第１の面１８ａ（１９ａ）と面一に係止するので、第１の嵌合凸部３１が底部緩衝部材１０，１１の第１の切欠部１８  （１９）と嵌合したときは、底部緩衝部材１０，１１は箱型台板９に対して横方向に移動することはない。
【００１９】
このため、製造工程における物流時及び工場から配送センター及び販売会社等への輸送時や、販売店、消費者までの市場における輸送、荷扱い運搬中の各種衝撃に対して、包装用台板８は強固で壊れることもなく、底部緩衝部材１０，１１も外れにくく、冷蔵庫１の損傷不良が発生することもない。また、箱型台板９と底部緩衝材１０，１１を接着剤で固定しなくてもよいので、接着剤が不要で環境にやさしく、そのうえ、包装部材の解体分離作業が簡単かつ良好で、わずかの時間で済み、廃棄、リサイクル時には箱型台板９と底部緩衝部材１０，１１を容易に取り外すことができる。
なお、上記の説明では、冷蔵庫１の包装部材について述べたが、被包装体は冷蔵庫１に限定するものではなく、重量の大きい他の製品に対しても包装部材としての機能を果たすものである。
【００２０】
［実施の形態２］
図７は本発明の実施の形態２の要部の斜視図である。実施の形態１では、箱型台板９の突設部２９を前後の立設壁２３，２４のそれぞれの両側に２個づつ、計４箇所に設けたが、実施の形態２では、突設部２９を、前後の立設壁２３，２４のそれぞれに１箇所づつ、各面のほぼ全域にわたり連続して設けたものである。その他の、構成、作用、効果は、実施の形態１で示した場合と実質的に同様なので、説明を省略する。
【００２１】
［実施の形態３］
図８は本発明の実施の形態３の要部の断面図、図９は図８の分解状態を示す斜視図である。１８（１９）は底部緩衝部材１０（１１）の長手方向の両端部で底部緩衝部材１０（１１）同志が対向する側のかど部に設けた第１の切欠部で、例えば図９に詳細に示すように、Ｌ字型に切欠いた第１、第２の面１８ａ，１８ｂによって構成されている。また、２０（２１）は、第１の切欠部１８（１９）の第２の面１８ｂの下部付近に設けた第２の切欠部で、長手方向の内側寄りに狭まるＶ字型をなしている。
【００２２】
２９は前後の立設壁２３（２４）の計４箇所に設けた突設部で、前後の立設壁２３（２４）のそれぞれの両側の重複部２７近傍に位置し、前後の立設壁２３，（２４）の上方向に延出したほぼ長方形状の延出面３０を箱型台板９の内側下方に折曲げて形成したもので、第１の突設部３１と第２の突設部３２とによって構成されている。
第１の突設部３１は、長方形状の延出面３０を、前後の立設壁２３（２４）の内側方向にほぼ直角に折曲げて第１の折曲面３１ａを形成し、さらに重複部２７を内側に挟み込むようにして同方向すなわち底面２２の方向にほぼ直角に折り曲げて第２の折曲面３１ｂを形成して、これらの折曲げ面３１ａ，３１ｂによって凸状に形成したものである。
【００２３】
また、第２の突設部３２は、第２の折曲面３１ｂをく字状をなすように折り曲げ、さらに逆方向にく字状に折り曲げ、さらに同一方向にく字状に折曲げて形成する。この際、第２の折曲面３１ｂにおいて、最後に折曲げた面と当初の折曲げ面とが同一面上にあるようにし、同時に、最後に折曲げた面の先端部３４が最初に、く字状に折曲げた折曲部３５の位置にほぼ当接するようにして第２の突設部３２を断面ほぼ横Ｖ字型の凸状に形成したものである。
こうして形成した箱型台板９の突設部２９の第１、第２の嵌合凸部３１，３２を、底部緩衝部材１０（１１）の第１、第２の切欠部１８（１９），２０（２１）に面一に嵌合させ、底部緩衝部材１０（１１）の背面を側部立設壁２５（２６）内面に接触させて、包装用台板８が形成されている。
その他の構成、作用、効果は、実施の形態１で示した場合と実質的に同様なので、説明を省略する。
【００２４】
［実施の形態４］
実施の形態３では、箱型台板９の突設部２９は前後の立設壁２３，２４のそれぞれの両側に２個づつ、計４箇所に設けたが、実施の形態４では、突設部２９を、前後の立設壁２３，２４のそれぞれに１箇所づつ、各面のほぼ全面域にわたり連続して設けたものである（図示せず）。
その他の、構成、作用、効果は、実施の形態１で示した場合と実質的に同様なので、説明を省略する。
【００２５】
【発明の効果】
本発明は上記のような課題を解決するためになされたもので、前後壁と側部壁からなる立設壁を有し側部壁の延端部を前後壁に重複させた箱型台板と、箱型台板の立設壁に当接させて対向配置した一対の底部緩衝部材とにより構成し、底部緩衝部材上に被包装体を載置してなる包装用台板を備えた包装部材であって、前後壁の面上に延出面を設け、延出面を折り曲げて重複部を挟み込んだ折曲部により第１の突設部を形成すると共に、第１の突設部をさらに折曲げて前後壁の内側方向に突出する第２の突設部を設け、また、底部緩衝部材の両端部に第１、第２の突設部と嵌合する第１、第２の切欠部を設けたので、第１の突設部と第１の切欠部が嵌合して底部緩衝部材が箱型台板に対して横方向に固定され、第２の突設部と第２の切欠部が嵌合して底部緩衝部材が箱型台板に対して上下方向に固定される。
【００２６】
このため、製造工程における物流時はもちろんのこと、工場から配送センタ及び販売会社などへの輸送時、さらには、販売店、消費者までの市場における輸送、荷扱い運搬中の各種衝撃に対しても強度的に優れ、充分、被包装物である冷蔵庫等を損傷から保護することができ、特に、重複部が肉厚なので輸送時等の落下に対しても充分な耐衝撃力を有する。そのうえ、箱型台板と底部緩衝部材とを接着剤等で接着固定していないので、箱型台板と底部緩衝部材とを小さい労力で簡単かつ短時間に解体分離することができ、ホットメルト等の接着剤の分別処理の手間及び弊害もなく、包装部材のリサイクル性を大きく改善でき、また、接着剤の使用廃止は環境に配慮したものとなる。
【００２７】
また、第１、第２の突設部を、前後壁のそれぞれの両側近傍に設けたので、簡易な部材で突設部を形成でき、底部緩衝部材を箱型台板に確実に固定できる。
さらに、第１、第２の突設部を、前後壁のそれぞれのほぼ全域に渡って設けたので、簡易な部材かつ少ない労力で突設部を形成でき、底部緩衝部材を箱型台板に確実に固定できる。
【００２８】
また、第２の突設部を、断面ほぼ横Ｔ字状又は横Ｖ字状に形成したので、簡単な装置によって箱型台板と底部緩衝部材を確実に係止でき、包装用台板における底部緩衝部材の上下方向への固定を確実に行うことができる。
【図面の簡単な説明】
【図１】  本発明の実施の形態１の斜視図である。
【図２】  図１の分解状態を示す斜視図である。
【図３】  図１の要部の斜視図である。
【図４】  図３のイ部の詳細を示す斜視図である。
【図５】  図４のＡーＡ断面図である。
【図６】  図４の分解状態を示す斜視図である。
【図７】  本発明の実施の形態２の要部の斜視図である。
【図８】  本発明の実施の形態３の要部の断面図である
【図９】  図８の分解状態を示す斜視図である。
【図１０】  従来の包装部材の分解状態の一例を示す斜視図である。
【図１１】  図１０の要部の斜視図である。
【図１２】  図１０の要部の断面図である。
【図１３】  従来の包装用台板の分解状態の一例を示す斜視図である。
【符号の説明】
１  冷蔵庫、８  包装用台板、９  箱型台板、１０，１１  底部緩衝部材、１８，１９  第１の切欠部、２０，２１  第２の切欠部、２３  前立設壁、２４  後立設壁、２５，２６  側部立設壁、２７  重複部、３０  延出面、３１  第１の突設部、３１ａ  第１の折曲面、３１ｂ  第２の折曲面、３２  第２の突設部。
【図１】
0004055287.tif 000002
【図２】
0004055287.tif 000003
【図３】
0004055287.tif 000004
【図４】
0004055287.tif 000005
【図５】
0004055287.tif 000006
【図６】
0004055287.tif 000007
【図７】
0004055287.tif 000008
【図８】
0004055287.tif 000009
【図９】
0004055287.tif 000010
【図１０】
0004055287.tif 000011
【図１１】
0004055287.tif 000012
【図１２】
0004055287.tif 000013
【図１３】
0004055287.tif 000014